(57)【要約】携帯用通信端末機を通じて自分の脳波変化を見ながら脳活動を統制して暗記力増進をトレーニングするシステム。このトレーニング装置は、携帯用通信端末機およびその端末機に連結されたバッテリーパックを含む。前記バッテリーパックは、脳波測定部とデータインターフェースするためのデータインターフェース部と；前記端末機の本体とデータインターフェースするための本体インターフェース部と；前記データインターフェース部を介して受信された脳波感知データから脳波信号別電力を算出し、これによるニューロフィードバック情報を前記端末機に出力するパック制御部とを含む。前記端末機本体は、前記本体インターフェース部とデータ送受信する外部インターフェース部と；使用者インターフェース部を介して脳波測定案内情報を出力し、使用者命令に応じて、前記バッテリーパックに脳波測定開始命令を伝送し、前記バッテリーパックから伝送されるニューロフィードバック情報を前記使用者インターフェース部を介して出力制御する制御部とを含む。
2006516744.tif 000002
【特許請求の範囲】
【請求項１】
携帯用通信端末機およびその端末機に連結されたバッテリーパックを含む暗記力自己増進トレーニングシステムにおいて、
前記バッテリーパックは：
脳波測定部とデータインターフェースするためのデータインターフェース部と；
前記端末機の本体とデータインターフェースするための本体インターフェース部と；
前記データインターフェース部を介して受信された脳波感知データから脳波信号別電力を算出し、これによるニューロフィードバック情報を前記端末機に出力するパック制御部と；を含み、
無線部および使用者インターフェース部を有する前記端末機本体は：
前記本体インターフェース部とデータ送受信する外部インターフェース部と；
使用者インターフェース部を介して脳波測定案内情報を出力し、使用者命令に応じて、前記バッテリーパックに脳波測定開始命令を伝送し、前記バッテリーパックから伝送されるニューロフィードバック情報を前記使用者インターフェース部を介して出力制御する制御部と；
を含むことを特徴とする、暗記力自己増進トレーニングシステム。
【請求項２】
前記脳波測定部は：
脳活動による生体信号を電気的な脳波信号に変換して出力する電極を含む脳波感知部と；
レベル増幅された前記脳波信号から雑音を除去し、これをデジタル形態の脳波感知データとして出力する信号処理部と；
インターフェース方式によって前記脳波感知データを加工して前記バッテリーパックに出力するバッテリーパックインターフェース部と；
を含むことを特徴とする、請求項１に記載の暗記力自己増進トレーニングシステム。
【請求項３】
前記バッテリーパックインターフェース部は、ＵＳＢ、ＲＳ−２３２Ｃ、およびブルートゥースモジュールのいずれか一つの通信方式を採用することを特徴とする、請求項２に記載の暗記力自己増進トレーニングシステム。
【請求項４】
脳波測定部とデータ通信可能な携帯用通信端末機を含む暗記力自己増進トレーニングシステムにおいて、
前記脳波測定部は：
脳活動による生体信号を電気的な脳波信号に変換して出力する電極を含む脳波感知部と；
レベル増幅された前記脳波信号から雑音を除去し、これをデジタル形態の脳波感知データとして出力する信号処理部と；
インターフェース方式によって前記脳波感知データを加工して前記携帯用通信端末機に送信する本体インターフェース部と；を含み、
無線部および使用者インターフェース部を有する前記通信端末機は：
前記本体インターフェース部とデータ送受信するための外部インターフェース部と；
前記使用者インターフェース部を介して脳波測定案内情報を出力し、脳波測定命令に応じて、前記脳波測定部から伝送された脳波感知データから脳波信号別電力を算出し、それによるニューロフィードバック情報を算出して使用者インターフェース部を介して出力制御する制御部と；
を含むことを特徴とする、暗記力自己増進トレーニングシステム。
【請求項５】
前記インターフェース部は、ＵＳＢ、ＲＳ−２３２Ｃ方式のいずれか一つの通信方式を採用することを特徴とする、請求項４に記載の暗記力自己増進トレーニングシステム。
【発明の詳細な説明】
【技術分野】
【０００１】
本発明は脳波測定による暗記力自己増進トレーニングシステムに係り、特に携帯用通信端末機を通じて自分の脳波変化を見ながら脳活動を統制して暗記力増進をトレーニングすることができるシステムに関するものである。
【背景技術】
【０００２】
脳波は人間の頭皮で測定されるもので、数十μＶの電位差と主に３０Ｈｚ以下の周波数を有する波長であり、人間の意識状態を反映する生体信号である。このような脳波信号は、α、β、θ、δのように、周波数によって分類することができる。周波数別に分類可能な脳波信号のうち、α波は８〜１３Ｈｚの周波数を有する脳波であって、精神的に安定して目を閉じている状態でくっきりと現れる。そして、β波は１３Ｈｚ以上の周波数を有する脳波であって、精神活動をするうちにまたは緊張状態で現れる。一方θ波は４〜８Ｈｚの周波数を有する脳波であって、情緒的に心細い状態にあるかまたは混乱した状態で主に現れるが、これは学習障害を有する青少年でたびたび発見される。最後に、δ波は０．５〜４Ｈｚの周波数を有する脳波であって、正常睡眠状態で典型的に現れ、また赤ん坊で主に現れる。
【０００３】
以上に説明した脳波信号のうち、α波領域の脳波は心理的に安定させて集中力を高めるものと知られているから、脳波を調整してα波出現比を高めようとする研究が進行されている。
【０００４】
α波を用いてニューロフィードバック（neurofeedback）させる内容は１９６０年代以降に知られ、この理論を裏付ける装置が多様に開発されられて来た。このような装置の例として、アメリカのウェーバライダー（Waverider）、ＥＥＧスペクトラム社、プロコムバイオグラフ社、ブレインセンター社、バイオフィードバックインストルメント社などで開発して発売開始した製品があり、国内では、（株）モディナから、個人用ＰＣと連結して使うことができるデスクトップ型ニューロフィードバック装置が提供されている。
【０００５】
一方、ロンドンのインペリアルカレッジ研究チームは、最近国際精神フィジオロジージャーナルに載せた論文で、“頭皮に感知装置を付着して人の脳波をコンピュータ画面に示すニューロフィードバック（neurofeedback）技術を活用すれば、脳活動を校正して記憶力を向上させることができる”と主張している。この論文によれば、コンピュータ画面で自分の脳波変化を見ながら脳活動を統制する訓練をすれば、記憶力を１０％程度向上させることができると報告している。
【０００６】
前記例示論文によれば、コンピュータ画面を通じて自ら自分の記憶力を増進させ得るトレーニングを行うことができるが、現在紹介されているニューロフィードバック装置の大部分はパーソナルコンピュータを用いなければならないか、あるいは医療用装備として専門医療機関に備えられて運用されているという欠点がある。
【０００７】
したがって、パーソナルコンピュータを備えなくても自分の記憶力を増進させることができることはもちろん、医療機関の訪問なしに携帯して自分の記憶力を増進させることができるトレーニングシステムの開発が切実に要求されている。
【発明の開示】
【発明が解決しようとする課題】
【０００８】
したがって、本発明の目的は、既に広く普及されている携帯用通信端末機の表示窓に脳波信号を表示して暗記力増進をトレーニングすることができる暗記力自己増進トレーニングシステムを提供することにある。
【０００９】
本発明のほかの目的は、脳活動を統制するための情報を出力して暗記力増進をトレーニングすることができる携帯用通信端末機を用いたトレーニングシステムを提供するにある。
【課題を解決するための手段】
【００１０】
本発明の一観点によれば、前記目的は、携帯用通信端末機およびその端末機に連結されたバッテリーパックを含む暗記力自己増進トレーニングシステムを提供することにより達成できる。前記バッテリーパックは、脳波測定部とデータインターフェースするためのデータインターフェース部と；前記端末機の本体とデータインターフェースするための本体インターフェース部と；前記データインターフェース部を介して受信された脳波感知データから脳波信号別電力を算出し、これによるニューロフィードバック情報を前記端末機に出力するパック制御部とを含む。前記端末機本体は、前記本体インターフェース部とデータ送受信する外部インターフェース部と；使用者インターフェース部を介して脳波測定案内情報を出力し、使用者命令に応じて、前記バッテリーパックに脳波測定開始命令を伝送し、前記バッテリーパックから伝送されるニューロフィードバック情報を前記使用者インターフェース部を介して出力制御する制御部とを含む。
【００１１】
好ましくは、前記脳波測定部は、脳活動による生体信号を電気的な脳波信号に変換して出力する電極を含む脳波感知部と；レベル増幅された前記脳波信号から雑音を除去し、これをデジタル形態の脳波感知データとして出力する信号処理部と；インターフェース方式によって前記脳波感知データを加工して前記バッテリーパックに出力するバッテリーパックインターフェース部とを含む。
【００１２】
前述した望ましい実施例によれば、脳波測定部で測定された脳波感知データはバッテリーパックで表示可能なデータに加工処理された後、端末機本体に伝達されることにより、端末機使用者は、端末機本体の表示窓で自分の脳波変化を見ながら望ましい脳波形を得るためのトレーニングをすることができる。
【００１３】
本発明のほかの観点によれば、脳波測定部とデータ通信可能な携帯用通信端末機を含む暗記力自己増進トレーニングシステムが提供される。前記脳波測定部は、脳活動による生体信号を電気的な脳波信号に変換して出力する電極を含む脳波感知部と；レベル増幅された前記脳波信号から雑音を除去し、これをデジタル形態の脳波感知データとして出力する信号処理部と；インターフェース方式によって前記脳波感知データを加工して前記携帯用通信端末機に送信する本体インターフェース部とを含む。前記通信端末機は、前記本体インターフェース部とデータ送受信するための外部インターフェース部と；前記使用者インターフェース部を介して脳波測定案内情報を出力し、脳波測定命令に応じて、前記脳波測定部から伝送された脳波感知データから脳波信号別電力を算出し、それによるニューロフィードバック情報を算出して使用者インターフェース部を介して出力制御する制御部と  を含む。
【００１４】
前記ほかの望ましい実施例によれば、脳波測定部で測定された脳波感知データは携帯用通信端末機の本体で表示可能なデータに加工処理された後、表示窓に出力されるので、端末機使用者は、端末機本体の表示窓で自分の脳波変化を見ながら望ましい脳波形を得るためのトレーニングを遂行することができる。
【発明を実施するための最良の形態】
【００１５】
以下本発明の望ましい実施例を添付図面に基づいて詳細に説明する。本発明の説明において、関連した公知の機能あるいは構成に対する具体的な説明が本発明の要旨を不要にあいまいにし得ると判断される場合、それについての詳細な説明は省略する。
【００１６】
図１は本発明の実施例による暗記力自己増進トレーニングシステムの構成図を示すものである。基本的に、前記暗記力自己増進トレーニングシステムは、被測定対象者の脳活動による生体信号、すなわち脳波信号を感知して出力するための脳波測定部１００と、前記脳波測定部１００から伝送される脳波感知データから脳波信号別電力を算出し、それによるニューロフィードバック情報を出力することができる携帯用通信端末機３００とから構成することができる。システム設計方式によって、携帯用通信端末機本体３００が前記脳波測定部１００と直接データを送受信することもでき、バッテリーパック２００を介して脳波測定部１００とデータを送受信することもできる。参考として、前記ニューロフィードバック情報は単に表示窓に表示される脳波の電力波形およびスペクトラムであり得、場合によっては、表示される脳波を変化させるための音声情報をさらに含むものでもあり得る。
【００１７】
以下、脳波測定部１００、バッテリーパック２００、および前記バッテリーパック２００とインターフェース可能な携帯用通信端末機本体３００の構成を参照して、本発明の実施例による暗記力自己増進トレーニングシステムの構成および動作を説明する。
【００１８】
図２は本発明の実施例によって、脳波測定部１００、バッテリーパック２００、および携帯電話本体３００から構成される暗記力自己増進トレーニングシステムの詳細構成図を示すものである。
【００１９】
まず、図２に示すように、被測定対象者の脳波信号を感知して出力するための脳波測定部１００は、基本的に、脳波感知部１１０、信号処理部１２０、およびバッテリーパックインターフェース部であるブルートゥースモジュール１３０を含む。
【００２０】
図２に示すように、脳波感知部１１０は、脳活動による生体信号を電気的な脳波信号に変換して出力する電極を含む。このような電極１０２は、前頭葉での脳波を測定するために、図１に示すヘッドバンド１０１の所定位置に装着可能であり、その数も可変できる。
【００２１】
信号処理部１２０は、前記脳波感知部１１０から出力される脳波信号をレベル増幅し、雑音を除去した後、これをデジタル形態の脳波感知データとして出力する役目をする。このため、信号処理部１２０は、脳波増幅およびフィルター部とＡ／Ｄ変換器を備える。脳波信号を増幅するためには、低雑音計測用増幅器を使うことができ、脳波信号に含まれている雑音を抑制するために、帯域を０．０４〜３５Ｈｚに制限することができる。
【００２２】
バッテリーパックインターフェース部は、インターフェース方式によって、前記脳波感知データを加工して前記バッテリーパック２００に出力する役目をする。このようなバッテリーパックインターフェース部は、ブルートゥースモジュール１３０のような無線通信部を例として挙げることができ、ＲＳ−２３２Ｃ方式のコネクタあるいはＵＳＢポートのような有線通信部を例として挙げることもできる。もし、脳波測定部１００とバッテリーパック２００との間をＵＳＢケーブルで接続する場合には、脳波測定部１００内の電源供給部が必要でない。これは、ＵＳＢケーブルによって５００ｍＡの電源を脳波測定部１００に供給することができるからである。
【００２３】
一方、前述したような構成を有する脳波測定部１００から伝送される脳波感知データを処理してニューロフィードバック情報を生成するバッテリーパック２００は、基本的に、バッテリーセルを含む。バッテリーセルに充電された電圧レベルは、結合可能な携帯電話本体３００の動作電源を基本的に供給するのに用いられる。場合によっては、脳波測定部１００に動作電源を供給することもできる。
【００２４】
バッテリーセルを含むバッテリーパック２００は、脳波測定部１００のバッテリーパックインターフェース部１３０とデータの送受信を行うためのデータインターフェース部２１０をさらに含む。バッテリーパック２００側のデータインターフェース部２１０も、脳波測定部１００のインターフェース部１３０に合わせて、ブルートゥースモジュールＵＳＢポート、またはＲＳ−２３２Ｃコネクタを使うことができる。
【００２５】
また、バッテリーパック２００には、バッテリーパック２００の動作を全般的に制御するためのパック制御部２２０がさらに含まれる。このようなパック制御部２２０は、データインターフェース部であるブルートゥースモジュール２１０を介して受信される脳波感知データから脳波信号別電力を算出し、それによるニューロフィードバック情報を携帯電話本体３００に出力する。脳波信号別電力を算出する方法の一例を挙げると、まず、脳波信号は、前述したように、α、β、θ、δ波のいずれか一つであるので、パック制御部２２０は、受信された脳波感知データの電力スペクトラムを分析して脳波スペクトラムの総電力を算出し、引き継いでスペクトラムの総電力に対する所望脳波信号（α波）のスペクトラム電力比を算出することができる。脳波スペクトラムにおいて、総電力とは０．０４〜３５Ｈｚまでのスペクトラム電力の全体成分を合わせた値を言う。本発明は暗記力を増進させるためのものであるので、パック制御部２２０は、脳波信号のうち、α波の電力を算出すると仮定する。
【００２６】
以上のように、脳波信号別電力が算出されれば、パック制御部２２０は、脳波信号別電力によるニューロフィードバック情報を携帯電話本体３００に出力する。この際、前記ニューロフィードバック情報は単に脳波の電力波形およびスペクトラム情報であり得、場合によっては、被測定対象者を安定した意識状態に誘導するための所定の場面連想コメント情報を含むものであり得る。この場合、所定の場面を連想させるコメント情報は、パック制御部２２０によって制御される音声メモリにより具現することができる。
【００２７】
一方、前記パック制御部２２０によって出力されるニューロフィードバック情報は、本体インターフェース部２３０を介して携帯電話本体３００に伝送され、前記携帯電話本体３００からの脳波測定開始命令も外部インターフェース部３１０と本体インターフェース部２３０を介してパック制御部２２０に伝達される。参考として、バッテリーパック２００と携帯電話本体３００との間のデータ通信は、バッテリーパック２００と本体３００にそれぞれ形成されている電源出力端子を介して電力線通信を行うこともでき、別途の通信端子をバッテリーパック２００と本体３００にそれぞれ形成してデータ通信を行うこともできる。
【００２８】
最後に、前記バッテリーパック２００からニューロフィードバック情報を受信し、使用者Ｉ／Ｆ部３３０、すなわち表示窓を通じて出力する携帯電話本体３００の構成を説明すれば、まず、無線部３４０は、制御部３２０の制御によって音声またはデータを変造し周波数変換してアンテナＡＮＴを介して無線信号として伝送し、前記アンテナＡＮＴを介して受信される無線信号から、音声データ以外の信号を分離し、これを周波数変換および復調して制御部３２０に伝送する役目をする。
【００２９】
音声処理部３５０は、制御部３２０の制御により、マイクＭＩＣに入力される音声をデジタル処理して無線部３４０に伝送し、前記無線部３４０を介して受信された音声データを復調してスピーカーＳＰＫを介して出力する。音声処理部３５０は、ニューロフィードバック情報に脳波変化を誘導するための音声情報が含まれた場合、これを音声信号処理して出力することもできる。この時、音声情報ソースはバッテリーパック２００、または携帯電話本体３００の制御部３２０であり得る。
【００３０】
一方、制御部３２０は、使用者Ｉ／Ｆ部３３０を介して脳波測定案内情報を出力し、使用者命令に応じて前記バッテリーパック２００に脳波測定開始命令を伝送し、前記バッテリーパック２００を介して伝送されたニューロフィードバック情報を使用者Ｉ／Ｆ部３３０および音声処理部３５０を介して出力制御する。
【００３１】
外部Ｉ／Ｆ部３１０は前記本体Ｉ／Ｆ部２３０と結合され、バッテリーパック２００と本体３００との間でデータ送受信する役目をする。このような構成の携帯電話本体は、図示されていないが、システム制御プログラムデータと多数の応用プログラムが格納されたメモリルを備えている。そして、使用者Ｉ／Ｆ部３３０は表示部とキーパッドを含んでいるので、脳波測定開始命令の入力あるいは選択が可能であり、ニューロフィードバック情報である脳波形および電力スペクトラムの表示が可能である。
【００３２】
以下、前述したような構成を有する暗記力自己増進トレーニングシステムの動作を説明する。
【００３３】
まず、被測定対象者は、図１に示すヘッドバンドを着用した後、携帯電話本体３００の使用者Ｉ／Ｆ部３３０を介して脳波測定命令を下す。この場合、携帯電話本体３００の制御部３２０はキー入力をチェックして、特定の付加機能が選択されるかを検査する。付加機能選択のためのリストも指定されたキー入力によってなされる。使用者は、付加機能リストのうちで脳波測定（または暗記力自己トレーニング）を選択することができる。
【００３４】
もし、使用者から脳波測定の要求があったら、本体制御部３２０はこれを認知し、これに応じて、バッテリーパック２００に脳波測定開始命令を送信する。もし、脳波測定要求でないほかの付加機能の選択がある場合であれば、制御部３２０は入力要求を処理するためのルーチンを実行させれば良い。
【００３５】
一方、脳波測定開始命令を受けたバッテリーパック２００のパック制御部２２０は、ブルートゥースモジュール２１０を介して脳波測定部１００に脳波測定開始命令を伝送する。このような脳波測定開始命令の伝送前にブルートゥース間のコネクション設定がなされていなければならない。このように、バッテリーパック２００から脳波測定部１００側に脳波測定開始命令が伝送されれば、脳波測定部１００のブルートゥースモジュール１３０は信号処理部１２０で信号処理された脳波感知データを受けて、これをバッテリーパック２００に無線伝送する。
【００３６】
一方、脳波測定開始命令を伝送したバッテリーパック２００のパック制御部２２０は、ブルートゥースモジュール２１０を介してデジタル形態の脳波感知信号を受ける。そして、伝送された脳波感知信号から電力スペクトラムを分析して脳波スペクトラムの総電力を算出し、引き継いでスペクトラムの総電力に対するα波のスペクトラム電力比を算出することで、パック制御部２２０は、算出された電力比に対応するＡ／Ｖ形態のニューロフィードバック情報を出力することができる。このように、パック制御部２２０から出力されるＡ／Ｖ形態のニューロフィードバック情報は本体Ｉ／Ｆ部２３０を介して携帯電話本体３００に伝送されることにより、本体３００の制御部３２０は、外部Ｉ／Ｆ部３１０を介して、暗記力を増進させるためのＡ／Ｖ形態のニューロフィードバック情報を受けることになり、受信されたニューロフィードバック情報は、制御部３２０によって、使用者Ｉ／Ｆ部３３０である表示窓に脳波形または電力スペクトラム形態として出力されることになるものである。
【００３７】
これにより、被測定対象者は携帯用通信端末機の表示窓に表示される自分の脳波形を見ながら脳活動を自ら統制するトレーニングをすることにより、結果的には、脳活動統制訓練の繰り返しにより自分の暗記力を自ら高める方法を体得することになるものである。場合によって、本システムは、算出されたα波のスペクトラム電力比が所定の基準値より低い場合、これを高めるための連想コメントをニューロフィードバック情報として出力することにより、被測定対象者は音声で出力されるコメントを聞いて所定の場面を連想する訓練により自分の暗記力を自ら増進させることもできる。
【００３８】
以上では、脳波測定部１００、バッテリーパック２００、および携帯電話本体３００でなる暗記力自己増進トレーニングシステムについて説明したが、単にバッテリーパックは元の機能である端末機動作電源のみを供給し、図３に示すように、脳波測定部１００と携帯電話本体３００のみでシステムを構築することもできる。
【００３９】
図３に示すように、脳波測定部１００は、脳波感知部１１０、信号処理部１２０、および本体Ｉ／Ｆ部１４０を含む。前記本体Ｉ／Ｆ部１４０は、携帯電話本体３００の外部Ｉ／Ｆ部３１０とデータ送受信する役目をする。このような本体Ｉ／Ｆ１４０もＵＳＢ、ＲＳ−２３２Ｃ方式のいずれか一つの方式を採用することができる。
【００４０】
一方、携帯電話本体３００は図２で説明した一般的な携帯電話の構成と同一であると得言える。ただ、携帯電話本体３００の制御部３２０が脳波測定部１００から伝送された脳波感知信号から電力スペクトラムを分析して脳波スペクトラムの総電力を算出し、スペクトラムの総電力に対するα波のスペクトラム電力比を算出した後、これに対応するＡ／Ｖ形態のニューロフィードバック情報を出力することが、図２に示す本体制御部３２０と異なる点である。
【００４１】
このような構成を有する暗記力自己増進トレーニングシステムの動作も第１実施例によるシステムの動作と類似していると言える。すなわち、使用者から脳波測定要求があれば、本体の制御部３２０は脳波測定部１００から伝送される脳波感知データを受ける。そして、伝送された脳波感知信号から電力スペクトラムを分析して脳波スペクトラムの総電力を算出し、引き継いでスペクトラムの総電力に対するα波のスペクトラム電力比を算出することにより、本制御部３２０は、算出された電力比に対応するＡ／Ｖ形態のニューロフィードバック情報を使用者Ｉ／Ｆ部３３０である表示窓に脳波形または電力スペクトラム形態として出力することになるものである。
【００４２】
これにより、被測定対象者は携帯用通信端末機の表示窓に表示される自分の脳波形を見ながら脳活動を自ら統制するトレーニングをすることで、結果的には、脳活動統制訓練の繰り返しにより自分の暗記力を自ら高める方法を体得することができることになる。
【産業上利用可能性】
【００４３】
以上説明したように、本発明は、端末機使用者が携帯用脳波測定機を用いて脳波を測定し、測定された脳波形と関連したニューロフィードバック情報を自分の携帯用通信端末機を通じて視聴覚的に受けるので、いつでもどこでも自分の脳活動を統制する訓練を繰り返し行って暗記力を自ら増進させることができる利点がある。
【００４４】
以上、本発明をその特定の実施例に基づいて説明したが、当業者であれば、添付の特許請求範囲に開示されたような本発明の範囲および精神から逸脱しないで、特定要素の多様な変形、付加および代替が可能であることが理解することができる。
【図面の簡単な説明】
【００４５】
本発明の前記およびほかの目的、特徴および利点は添付図面に基づいた以降の詳細な説明からより明らかに理解可能であろう。
【図１】本発明の実施例による暗記力自己増進トレーニングシステムの構成図。
【図２】本発明の実施例によって脳波測定部、バッテリーパックおよび携帯電話本体から構成される暗記力自己増進トレーニングシステムの詳細構成図。
【図３】本発明のさらにほかの実施例による脳波測定部および携帯電話本体から構成される暗記力自己増進トレーニングシステムの詳細構成図。
【図１】
2006516744.tif 000003
【図２】
2006516744.tif 000004
【図３】
2006516744.tif 000005
【国際調査報告】
2006516744.tif 000006